(57)【要約】【課題】積木単体を提供する。【解決手段】接続部と、それぞれ接続部に接続される首部及び尾部と、を備え、首部は、別の積木単体の首部と組み合わせて首部組合構造を形成し又は別の積木単体の尾部と組み合わせて首尾組合構造を形成することに用いられ、尾部は、別の積木単体の首部と組み合わせて首尾組合構造を形成し又は別の積木単体の尾部と組み合わせて尾部組合構造を形成することに用いられ、前記３つの組合形態で複数組み合わせて環状柱体又は柱体を形成するための積木単体。【選択図】図１Ａ
2016087452.tif 000002
【特許請求の範囲】
【請求項１】
接続部と、
それぞれ前記接続部に接続される首部及び尾部と、
を備え、
前記首部は、別の積木単体の首部と組み合わせて首部組合構造を形成し又は別の積木単体の尾部と組み合わせて首尾組合構造を形成することに用いられ、前記尾部は、別の積木単体の尾部と組み合わせて尾部組合構造を形成し又は別の積木単体の首部と組み合わせて前記首尾組合構造を形成し、前記３つの組合形態で他の複数の積木単体と環状半体構造又は柱状半体構造を形成することに用いられ、前記環状半体構造と前記柱状半体構造とが前記首部組合構造、前記首尾組合構造又は前記尾部組合構造によってそれぞれ対応する別の環状半体構造又は別の柱状半体構造の尾部組合構造、首尾組合構造及び首部組合構造と組み合わせて、環状柱体又は柱体を形成する積木単体。
【請求項２】
前記首部は、上向きの鉤状構造である請求項１に記載の積木単体。
【請求項３】
前記尾部は、上向きの鉤状構造である請求項１〜２のいずれか一項に記載の積木単体。
【請求項４】
前記接続部は、左半部と右半部を有し、前記首部が前記左半部の上面に接続され、前記尾部が前記右半部の背面に接続される請求項１〜３のいずれか一項に記載の積木単体。
【請求項５】
前記首部は、同サイズの３つの立方体からなる請求項１〜４のいずれか一項に記載の積木単体。
【請求項６】
前記尾部は、同サイズの３つの立方体からなる請求項１〜５のいずれか一項に記載の積木単体。
【請求項７】
前記首部と前記尾部とは、同サイズの立方体からなる請求項５又は６に記載の積木単体。
【請求項８】
前記左半部と前記右半部とは、それぞれ同サイズの立方体である請求項４に記載の積木単体。
【請求項９】
前記首部は、前記左半部と同サイズの３つの立方体からなる請求項８に記載の積木単体。
【請求項１０】
前記尾部は、前記右半部と同サイズの３つの立方体からなる請求項８に記載の積木単体。
【発明の詳細な説明】
【技術分野】
【０００１】
本発明は、積木に関する。
【背景技術】
【０００２】
従来の積木玩具は、一般的に、様々な異なる形や組合辺の長さの変化によって、特定の空間において組み合わせ及びつなぎ合わせを行い、異なる形態の積木又はジグソーパズルを組み合わせて、使用者の創造力と空間認知能力を導き出す。
【０００３】
しかしながら、一般の積木は、ほとんど所定の組合形態にしか組み立てられなく、且つ複数の積木ユニットのそれぞれの形状も異なっている。そのため、生産コストが高いだけではなく、使用者が創意を生かせて変わった造形を作り出せない。
【発明の概要】
【発明が解決しようとする課題】
【０００４】
本発明の一技術態様は、複数の積木単体によって、異なる形状の柱体又は環状柱体を組み合わせることのできる積木単体を提供する。
【課題を解決するための手段】
【０００５】
本発明の一実施形態によると、接続部と、それぞれ接続部に接続される首部及び尾部と、を備え、首部は、別の積木単体の首部と組み合わせて首部組合構造を形成し又は別の積木単体の尾部と組み合わせて首尾組合構造を形成することに用いられ、尾部は、別の積木単体の尾部と組み合わせて尾部組合構造を形成し又は別の積木単体の首部と組み合わせて首尾組合構造を形成し、前記３つの組合形態で他の複数の積木単体とともに環状半体構造又は柱状半体構造を形成することに用いられ、環状半体構造と柱状半体構造とが首部組合構造、首尾組合構造又は尾部組合構造によってそれぞれ対応する別の環状半体構造又は別の柱状半体構造の尾部組合構造、首尾組合構造及び首部組合構造と組み合わせて、環状柱体又は柱体を形成する積木単体である。
【０００６】
本発明の一又は複数の実施形態において、首部は、上向きの鉤状構造である。
【０００７】
本発明の一又は複数の実施形態において、尾部は、上向きの鉤状構造である。
【０００８】
本発明の一又は複数の実施形態において、接続部は、左半部と右半部を有し、首部が左半部の上面に接続され、尾部が右半部の背面に接続される。
【０００９】
本発明の一又は複数の実施形態において、首部は、上向きの鉤状構造であり、同サイズの３つの立方体からなる。
【００１０】
本発明の一又は複数の実施形態において、尾部は、上向きの鉤状構造であり、同サイズの３つの立方体からなる。
【００１１】
本発明の一又は複数の実施形態において、首部と尾部とは、同サイズの立方体からなる。
【００１２】
本発明の一又は複数の実施形態において、左半部と右半部とは、それぞれ同サイズの立方体である。
【００１３】
本発明の一又は複数の実施形態において、首部は、上向きの鉤状構造であり、左半部と同サイズの３つの立方体からなる。
【００１４】
本発明の一又は複数の実施形態において、尾部は、上向きの鉤状構造であり、右半部と同サイズの３つの立方体からなる。
【００１５】
積木単体は、首部と首部とを組み合わせた首部組合構造、首部と尾部とを組み合わせた首尾組合構造、及び尾部と尾部とを組み合わせた尾部組合構造の３つの基本組合形態によって、柱状半体構造又は環状半体構造を形成することができる。更に、柱状半体構造又は環状半体構造の首部組合構造、首尾組合構造又は尾部組合構造と対応する柱状半体構造又は環状半体構造の尾部組合構造、首尾組合構造及び首部組合構造とを組み合わせることで、柱体又は環状柱体を形成することができる。柱体又は環状柱体の何れの組成ユニットも同じ形状の積木単体であるため、生産コストは低い。また、積木単体から異なる形状の柱体又は環状柱体に組み合わせることができるため、使用者は、所望の形状に柔軟的に組み立てることができる。
【図面の簡単な説明】
【００１６】
【図１Ａ】本発明の一実施形態に係る積木単体を示す斜視模式図である。
【図１Ｂ】図１Ａに示す積木単体を示す前面模式図である。
【図１Ｃ】図１Ａに示す積木単体を示す上面模式図である。
【図１Ｄ】図１Ａに示す積木単体を示す左面模式図である。
【図１Ｅ】図１Ａに示す積木単体を示す背面模式図である。
【図１Ｆ】図１Ａに示す積木単体を示す下面模式図である。
【図１Ｇ】図１Ａに示す積木単体を示す左面模式図である。
【図２Ａ】本発明の一実施形態に係る積木単体が首部で対向する態様を示す斜視模式図である。
【図２Ｂ】図２Ａに示す積木単体を組み合わせた首部組合構造を示す斜視模式図である。
【図３Ａ】本発明の一実施形態に係る積木単体を首部で別の積木単体の尾部に対向させる態様を示す斜視模式図である。
【図３Ｂ】図３Ａに示す積木単体を組み合わせた首尾組合構造を示す斜視模式図である。
【図４Ａ】本発明の一実施形態に係る積木単体を尾部で対向させる態様を示す斜視模式図である。
【図４Ｂ】図４Ａに示す積木単体を組み合わせた尾部組合構造を示す斜視模式図である。
【図５Ａ】本発明の一実施形態による複数の積木単体を示す斜視模式図である。
【図５Ｂ】図５Ａに示す複数の積木単体を組み合わせた柱状半体構造を示す斜視模式図である。
【図５Ｃ】図５Ｂに示す柱状半体構造と対応する別の柱状半体構造とを示す斜視模式図である。
【図６Ａ】本発明の一実施形態による複数の積木単体を示す斜視模式図である。
【図６Ｂ】図６Ａに示す複数の積木単体を組み合わせた柱状半体構造を示す斜視模式図である。
【図６Ｃ】図６Ｂに示す柱状半体構造と対応する別の柱状半体構造とを示す斜視模式図である。
【図６Ｄ】図６Ｃに示す柱状半体構造を組み合わせた柱体を示す斜視模式図である。
【図７Ａ】本発明の一実施形態による複数の積木単体を示す斜視模式図である。
【図７Ｂ】図７Ａに示す複数の積木単体を組み合わせた環状半体構造を示す斜視模式図である。
【図７Ｃ】図７Ｂに示す環状半体構造と対応する別の環状半体構造とを示す斜視模式図である。
【図７Ｄ】図７Ｃに示す環状半体構造を組み合わせた環状柱体を示す斜視模式図である。
【図８】本発明の一実施形態による環状柱体と柱体とを組み合わせた立体構造を示す斜視模式図である。
【発明を実施するための形態】
【００１７】
以下、図面で本発明の複数の実施形態を開示し、明らかに説明するために、数多くの実際の細部を下記でまとめて説明する。しかしながら、理解すべきなのは、これらの実際の細部が、本発明を制限するためのものではない。つまり、本発明の実施形態の一部において、これらの実際の細部は、必須なものではない。また、図面を簡略化するために、ある従来慣用の構造及び素子は、図面において簡単で模式的に示される。
【００１８】
図１Ａは、本発明の一実施形態に係る積木単体１００を示す斜視模式図である。図１Ａに示すように、本実施形態の積木単体１００は、組み立てられて図６Ｄと図７Ｄに示すような柱体７００と環状柱体８００になることができ、柱体７００と環状柱体８００になる複数の積木単体１００のそれぞれがサイズも形状も同一である。
【００１９】
図１Ｂは、図１Ａに示す積木単体１００を示す前面模式図である。図１Ｃは、図１Ａに示す積木単体１００を示す上面模式図である。図１Ｄは、図１Ａに示す積木単体１００を示す左面模式図である。図１Ｅは、図１Ａに示す積木単体１００を示す背面模式図である。図１Ｆは、図１Ａに示す積木単体１００を示す下面模式図である。図１Ｇは、図１Ａに示す積木単体１００を示す左面模式図である。図１Ａ〜図１Ｇに示すように、積木単体１００は、接続部１１０（網点に示す領域）と、首部１２０及び尾部１３０と、を備える。首部１２０と尾部１３０がそれぞれ接続部１１０に接続される。接続部１１０は、左半部１１２と右半部１１４とを有し（ここで注意すべきなのは、積木単体１００の全ての特徴を明らかに示すように、図１Ａは積木単体１００の斜め後ろを視角として示す斜視模式図である）、首部１２０が左半部１１２の上面に接続され、尾部１３０が右半部１１４の背面に接続される。首部１２０は、上向きの鉤状構造である。尾部１３０は、上向きの鉤状構造である。
【００２０】
具体的には、左半部１１２と右半部１１４とがそれぞれ同サイズの立方体である。首部１２０は、左半部１１２又は右半部１１４と同サイズの３つの立方体からなる。尾部１３０は、左半部１１２又は右半部１１４と同サイズの３つの立方体からなる。つまり、首部１２０は、同サイズの３つの立方体からなる。尾部１３０は、同サイズの３つの立方体からなる。首部１２０と尾部１３０とは、同サイズの立方体からなる。
【００２１】
積木単体１００と他の積木単体とは、３つの基本的な組合方法がある。以下、それぞれについて紹介する。
【００２２】
図２Ａは、本発明の一実施形態に係る積木単体１００、１００’が首部１２０、１２０’で対向する態様を示す斜視模式図である。図２Ｂは、図２Ａに示す積木単体１００、１００’を組み合わせた首部組合構造２００を示す斜視模式図である。図２Ａと図２Ｂに示すように、積木単体１００の首部１２０と積木単体１００’の首部１２０’とを対向させて、更に首部組合構造２００として組み合わせることができる。
【００２３】
図３Ａは、本発明の一実施形態に係る積木単体１００を首部１２０で別の積木単体１００’の尾部１３０’に対向させる態様を示す斜視模式図である。図３Ｂは、図３Ａに示す積木単体１００、１００’を組み合わせた首尾組合構造３００を示す斜視模式図である。図３Ａと図３Ｂに示すように、積木単体１００の首部１２０を積木単体１００’の尾部１３０’の左側面１３２’に対向させて、更に首尾組合構造３００として組み合わせて形成してもよい。
【００２４】
図４Ａは、本発明の一実施形態に係る積木単体１００、１００’を尾部１３０、１３０’で対向させる態様を示す斜視模式図である。図４Ｂは、図４Ａに示す積木単体１００、１００’を組み合わせた尾部組合構造４００を示す斜視模式図である。図４Ａと図４Ｂに示すように、積木単体１００の首部１２０と積木単体１００’の首部１２０’とを対向させて、更に尾部組合構造４００として組み合わせて形成してもよい。
【００２５】
そのため、前記３つの組合形態で積木単体を、首部と尾部とが対向するように棒状構造として組み合わせて形成し、また首部と尾部とが対向するようにコーナー状構造として組み合わせることができる。そのため、１つの積木単体の一端から始まると、積木単体からなる構造が前へ延ばし、左へ延ばし又は右へ延ばし、最後に始めの積木単体の他端と連結すれば、環状構造が形成される。注意すべきなのは、積木単体は、必ず環状の構造になるわけではい。積木単体からなる構造が１つの積木単体の一端から始まって、前へ延ばし、左へ延ばし又は右へ延ばし、最後に始めの積木単体の他端と連結するが、組み合わせた構造の中心に必ず空孔を有するわけではないため、ストリップ状又は柱状の構造として組み合わせる場合もある。
【００２６】
図５Ａは、本発明の一実施形態による複数の積木単体を示す斜視模式図である。図５Ｂは、図５Ａに示す複数の積木単体を組み合わせた柱状半体構造５００を示す斜視模式図である。図５Ｃは、図５Ｂに示す柱状半体構造５００と対応する別の柱状半体構造５００’とを示す斜視模式図である。図５Ａ〜図５Ｃに示すように、例えば、積木単体１００のような複数の積木単体を組み合わせて、首尾組合構造３００のような複数の首尾組合構造を形成し、更に柱状構造（柱状半体構造５００ともいう）を形成する。そして、柱状半体構造５００と対応する別の柱状半体構造５００’とを組み合わせて、立方体が形成される。
【００２７】
具体的には、図５Ａに示すように、２つの積木単体を組み合わせると、１つの首尾組合構造になる。そして、図５Ｂに示すように、この２セットの積木単体の組合構造を更に結合させて柱状半体構造５００を形成し、柱状半体構造５００が４つの首尾組合構造を有する。その後、図５Ｃに示すように、柱状半体構造５００と対応する別の柱状半体構造５００’とを組み合わせ、柱状半体構造５００の首尾組合構造、例えば、首尾組合構造３００と、柱状半体構造５００’の首尾組合構造、例えば、首尾組合構造３００’とが、形状で互いにマッチするため、柱状半体構造５００と柱状半体構造５００’とを組み合わせて立方体を形成することができる。
【００２８】
図６Ａは、本発明の一実施形態による複数の積木単体を示す斜視模式図である。図６Ｂは、図６Ａに示す複数の積木単体を組み合わせた柱状半体構造５１０を示す斜視模式図である。図６Ｃは、図６Ｂに示す柱状半体構造５１０と対応する別の柱状半体構造５１０’とを示す斜視模式図である。図６Ｄは、図６Ｃに示す柱状半体構造５１０、５１０’を組み合わせた柱体７００を示す斜視模式図である。図６Ａ〜図６Ｄに示すように、例えば、積木単体１００のような複数の積木単体から組み合わせて、例えば、首部組合構造２００、首尾組合構造３００、尾部組合構造４００複数の首部組合構造や、首尾組合構造、尾部組合構造を形成し、更に柱状半体構造５１０を形成する。そして、柱状半体構造５１０と、対応する別の柱状半体構造５１０’とを組み合わせて、更に柱体７００を形成する。
【００２９】
具体的には、図６Ａ〜図６Ｂに示すように、８つの積木単体を組み合わせて柱状半体構造５１０を形成する。その後、図６Ｃに示すように、柱状半体構造５１０と、対応する別の柱状半体構造５１０’とを組み合わせる。柱状半体構造５１０の首部組合構造、例えば、首部組合構造２００と、柱状半体構造５１０’の尾部組合構造、例えば、尾部組合構造４００’とが、形状で互いにマッチする。柱状半体構造５１０の首尾組合構造、例えば、首尾組合構造３００と、柱状半体構造５１０’の首尾組合構造、例えば、首尾組合構造３００’とが、形状で互いにマッチする。柱状半体構造５１０の尾部組合構造、例えば、尾部組合構造４００と、柱状半体構造５１０’の首部組合構造、例えば、首部組合構造２００’とが、形状で互いにマッチする。そのため、図６Ｄに示すように、柱状半体構造５１０と柱状半体構造５１０’とを組み合わせる、柱体７００が形成される。
【００３０】
図７Ａは、本発明の一実施形態による複数の積木単体を示す斜視模式図である。図７Ｂは、図７Ａに示す複数の積木単体を組み合わせた環状半体構造６００を示す斜視模式図である。図７Ｃは、図７Ｂに示す環状半体構造６００と対応する別の環状半体構造６００’とを示す斜視模式図である。図７Ｄは、図７Ｃに示す環状半体構造６００、６００’を組み合わせた環状柱体８００を示す斜視模式図である。図７Ａ〜図７Ｄに示すように、前記のように、複数の積木単体を組み合わせて複数の首部組合構造や、首尾組合構造、尾部組合構造を形成し、更に環状半体構造６００を形成する。そして、環状半体構造６００と対応する別の環状半体構造６００’とを組み合わせて、更に環状柱体８００を形成する。
【００３１】
具体的には、図７Ａと図７Ｂに示すように、１２個の積木単体を組み合わせて環状半体構造６００を形成する。その後、図７Ｃに示すように、環状半体構造６００と対応する別の環状半体構造６００’とを組み合わせる。環状半体構造６００の首部組合構造や、首尾組合構造、尾部組合構造は、それぞれ環状半体構造６００’の尾部組合構造、首尾組合構造及び首部組合構造と形状で互いにマッチする。そのため、図７Ｄに示すように、環状半体構造６００と環状半体構造６００’とを組み合わせて、環状柱体８００を形成する。
【００３２】
注意すべきなのは、積木単体は、組み合わせられて前記形状の柱体と環状柱体として形成できるが、それらに限定されない。１つの積木単体の一端から始まると、前へ延ばし、左へ延ばし又は右へ延ばして、最後に始めの積木単体の他端と連結するようにすれば、積木単体が異なる形状の柱状半体構造又は環状半体構造として形成される。その後、この柱状半体構造又は環状半体構造と対応する柱状半体構造又は環状半体構造とを組み合わせることで、異なる形状の柱体又は環状柱体が形成される。
【００３３】
また、柱体と環状柱体における積木単体が互いに係合するため、柱体と環状柱体の構造が非常に安定であり、積木単体が容易に脱落して柱体と環状柱体の構造が壊れることはない。具体的には、図７Ｄに示すように、積木単体１００’を環状柱体８００から取り外そうとする場合、積木単体１００’に環状柱体８００の外側に向かう水平力Ｆを施さないと、積木単体１００’を環状柱体８００から取り外せない。他の何れの方向の外力でも、積木単体１００’を環状柱体８００から取り外さない。
【００３４】
積木単体からなる環状柱体と柱体は、更に、互いに組み合わせられて、立体構造を形成することができる。図８は、本発明の一実施形態による環状柱体８００と柱体７００とを組み合わせた立体構造９００を示す斜視模式図である。例としては、図８に示すように、図６Ｄに示す柱体７００を、図７Ｄに示す環状柱体８００に嵌め込んで固定して、立体構造９００を形成することができる。
【００３５】
また、積木単体からなる環状柱体又は柱体の表面に特殊なパターンを設けてもよい。このように、環状柱体又は柱体に組み合わせる同時に、立体ジグソーパズルを楽しむこともでき、組み合わせられた環状柱体又は柱体に観賞価値もある。例としては、図８に示すように、柱体７００の上面７１０に特殊なパターン７２０が設けられる。
【００３６】
積木単体の首部と首部とを組み合わせた首部組合構造、首部と尾部とを組み合わせた首尾組合構造及び尾部と尾部とを組み合わせた尾部組合構造の３つの基本組合形態で柱状半体構造又は環状半体構造を形成することができる。更に、柱状半体構造又は環状半体構造の首部組合構造、首尾組合構造又は尾部組合構造と対応する柱状半体構造又は環状半体構造の尾部組合構造、首尾組合構造又は首部組合構造とを組み合わせることで、柱体又は環状柱体を形成することができる。柱体又は環状柱体の何れの組成ユニットも同じ形状の積木単体であるため、生産コストは低い。また、積木単体から異なる形状の柱体又は環状柱体に組み合わせることができるため、使用者は、所望の形状に柔軟的に組み立てることができる。
【００３７】
本発明の実施形態を前述の通りに開示したが、これは、本発明を限定するものではなく、当業者であれば、本発明の思想と範囲から逸脱しない限り、多様の変更や修正を加えることができ、したがって、本発明の保護範囲は、下記添付の特許請求の範囲で指定した内容を基準とするものである。
【符号の説明】
【００３８】
１００、１００’  積木単体
１１０  接続部
１１２  左半部
１１４  右半部
１２０、１２０’  首部
１３０、１３０’  尾部
１３２’  左側面
２００、２００’  首部組合構造
３００、３００’  首尾組合構造
４００、４００’  尾部組合構造
５００、５００’、５１０、５１０’  柱状半体構造
６００、６００’  環状半体構造
７００  柱体
７１０  上面
７２０  特殊なパターン
８００  環状柱体
Ｆ  水平力
【図１Ａ】
2016087452.tif 000003
【図１Ｂ】
2016087452.tif 000004
【図１Ｃ】
2016087452.tif 000005
【図１Ｄ】
2016087452.tif 000006
【図１Ｅ】
2016087452.tif 000007
【図１Ｆ】
2016087452.tif 000008
【図１Ｇ】
2016087452.tif 000009
【図２Ａ】
2016087452.tif 000010
【図２Ｂ】
2016087452.tif 000011
【図３Ａ】
2016087452.tif 000012
【図３Ｂ】
2016087452.tif 000013
【図４Ａ】
2016087452.tif 000014
【図４Ｂ】
2016087452.tif 000015
【図５Ａ】
2016087452.tif 000016
【図５Ｂ】
2016087452.tif 000017
【図５Ｃ】
2016087452.tif 000018
【図６Ａ】
2016087452.tif 000019
【図６Ｂ】
2016087452.tif 000020
【図６Ｃ】
2016087452.tif 000021
【図６Ｄ】
2016087452.tif 000022
【図７Ａ】
2016087452.tif 000023
【図７Ｂ】
2016087452.tif 000024
【図７Ｃ】
2016087452.tif 000025
【図７Ｄ】
2016087452.tif 000026
【図８】
2016087452.tif 000027